(57)【要約】【課題】漏水量が少量又はその液体が透明で見えにくい場合でも目視で容易に確認して早期に補修等の対応が行えるようにする配管継手部の漏水発見装置を提供する。【解決手段】配管継手部の外周をカバー体で被覆して密閉し、同カバー体に小孔を開口し、液体を浸透させて流す浸透部材を継目部から前記小孔を介してカバー体外に渡って設け、浸透部材のカバー体外部分に配管から漏水して流れ出た液体を色で表示する表示手段を設け、同表示手段の色を目視することで継目部からの漏水を発見できるようにした。【選択図】          図４
2004183849.tif 000002
【特許請求の範囲】
【請求項１】
配管継手部の外周をカバー体で被覆して密閉し、同カバー体に小孔を開口し、液体を浸透させて流す浸透部材を配管と継手管との継目部分から前記小孔を介してカバー体外に渡って設け、浸透部材のカバー体外部分に配管の液体と接触して変色する表示手段を設け、同表示手段の色を目視することで配管継手部からの漏水を発見できるようにした配管継手部の漏水発見装置。
【請求項２】
浸透部材のカバー体外部分の端部を透明又は半透明の液受け管で封止した請求項１記載の配管継手部の漏水発見装置。
【請求項３】
カバー体内の空間に発泡樹脂を充填し、浸透部材で水路を形成して漏水を集水し易くした請求項１又は２記載の配管継手部の漏水発見装置。
【請求項４】
浸透部材がフェルトで構成されたものである請求項１〜３いずれか記載の配管継手部の漏水発見装置。
【請求項５】
表示手段が、配管の液体と接触して変色する反応剤・染料又は顔料を漏水した液体で溶解するカプセルで封止し、同カプセルの下方に液体が吸収可能な吸収部材を設け、流れ出た液体が前記カプセルを溶解後反応剤・染料又は顔料と混合して反応剤・染料又は顔料で変色し、同変色した反応剤・染料又は顔料が吸収部材に吸収して広い面積を着色表示させることで漏水したことを容易に目視できるように構成したものである請求項１〜４いずれか記載の配管継手部の漏水発見装置。
【請求項６】
反応剤がリトマス粉末である請求項５記載の配管継手部の漏水発見装置。
【請求項７】
配管継手部材の外周をカバー体で被覆して密閉し、同カバー体に小孔を閉口し、液体を浸透させて流す浸透部材を配管と継手管との継目部から前記小孔を介してカバー体外に渡って設け、浸透部材のカバー体外部分に配管から漏水して流れ出た液体と反応又は接触して検知するセンサーを設け、同センサーの信号を受けて光又は音で警報する警報手段を設け、配管継手部からの漏水を遠方で発見できるようにした配管継手部の漏水発見装置。
【発明の詳細な説明】
【０００１】
【発明の属する技術分野】
本発明は配管継手部の漏水発見装置に関し、詳しくは漏水と反応して変色又は染料や顔料で着色する表示手段を用いることで、漏水量が少量又はその液体が透明で見えにくい場合に目視で容易に確認できるようにする技術に関する。
【０００２】
【従来の技術】
従来、配管部材には枝管を増設して分岐させたり、異なる径の配管同士を連結したり、補修したりする際に継手管が用いられている。この継手管は既設配管と嵌挿させる構造が一般的で、接着剤やゴムパッキンやネジ切りによる螺着で取り付けていた。
【０００３】
ところで、配管内を流れる液体の種類やその流体圧力により既設配管と継手管との連結部分が痛み易く、腐食や経年劣化で徐々に漏水が生じていた。従って、流れる液体が人体や環境に悪影響を与えるものである場合は重大な事故を招く恐れがあり、特に配管は人目につかない場所に設置されることが多いから、透明な液体など見えにくい場合や漏水が少量の場合に点検時で見落とすことがあった。
【０００４】
【発明が解決しようとする課題】
本発明で解決しようとする課題は、従来のこれらの問題点を解消し、漏水量が少量又はその液体が透明で見えにくい場合でも目視で容易に確認して早期に補修等の対応が行えるようにする配管継手部の漏水発見装置を提供することにある。
【０００５】
【課題を解決するための手段】
かかる課題を解決した本発明の構成は、
１）  配管継手部の外周をカバー体で被覆して密閉し、同カバー体に小孔を開口し、液体を浸透させて流す浸透部材を配管と継手管との継目部分から前記小孔を介してカバー体外に渡って設け、浸透部材のカバー体外部分に配管の液体と接触して変色する表示手段を設け、同表示手段の色を目視することで配管継手部からの漏水を発見できるようにした配管継手部の漏水発見装置
２）  浸透部材のカバー体外部分の端部を透明又は半透明の液受け管で封止した前記１）記載の配管継手部の漏水発見装置
３）  カバー体内の空間に発泡樹脂を充填し、浸透部材で水路を形成して漏水を集水し易くした前記１）又は２）記載の配管継手部の漏水発見装置
４）  浸透部材がフェルトで構成されたものである前記１）〜３）いずれか記載の配管継手部の漏水発見装置
５）  表示手段が、配管の液体と接触して変色する反応剤・染料又は顔料を漏水した液体で溶解するカプセルで封止し、同カプセルの下方に液体が吸収可能な吸収部材を設け、流れ出た液体が前記カプセルを溶解後反応剤・染料又は顔料と混合して反応剤・染料又は顔料で変色し、同変色した反応剤・染料又は顔料が吸収部材に吸収して広い面積を着色表示させることで漏水したことを容易に目視できるように構成したものである前記１）〜４）いずれか記載の配管継手部の漏水発見装置
６）  反応剤がリトマス粉末である前記５）記載の配管継手部の漏水発見装置
７）  配管継手部材の外周をカバー体で被覆して密閉し、同カバー体に小孔を閉口し、液体を浸透させて流す浸透部材を配管と継手管との継目部から前記小孔を介してカバー体外に渡って設け、浸透部材のカバー体外部分に配管から漏水して流れ出た液体と反応又は接触して検知するセンサーを設け、同センサーの信号を受けて光又は音で警報する警報手段を設け、配管継手部からの漏水を遠方で発見できるようにした配管継手部の漏水発見装置
にある。
【０００６】
【作用】
本発明によれば、配管継手部に漏水が発生すると、その液体が浸透部材に浸透してカバー体外に流れ、同流れ出た液体が表示手段と接して表示手段が変色する。従って、点検者は表示手段の変色具合を目視することで漏水が発生したか否かを容易に確認でき、しかも漏水が少量でも浸透部材で確実に表示手段に流れるから、漏水を早期に発見して補修等の対応が行える。
【０００７】
【発明の実施の形態】
本発明の浸透部材は液体の侵食を受けない材質の透明又は半透明の液受け管で被覆すると、同液受け管内に液体を貯めて着色表示し易くなり発見が容易となる。また、カバー体内にはウレタン樹脂等の発泡樹脂を充填すると、浸透部材で水路を形成して漏水を集水し易くなる。浸透部材としてはフェルトで構成されたものが一般的であるが、その他ファイバーロッド等液体が毛細管現象で浸透し易い材質のものであれば採用できる。
【０００８】
表示手段としては、配管の液体と混合して変色する反応剤・染料又は顔料を漏水した液体で溶解するカプセルで封止し、同カプセルの下方に液体が吸収可能な吸収部材を設けたものが、流れ出た液体がカプセルを溶解後反応剤・染料又は顔料と触れて変色し、同変色した反応剤・染料又は顔料が吸収部材に浸透して広く着色表示することで漏水したことを容易に目視できる。反応剤としてはリトマス粉末が一般的に用いられる。
【０００９】
他の手段としては液体と接触することで検知できるセンサーがあり、同センサーの信号を受けて光又は音で警報する警報手段を設けて遠方で漏水を発見できるようにすることも可能である。以下、本発明の各実施例を図面に基づいて具体的に説明する。
【００１０】
【実施例】
実施例１：図１〜５に示す実施例１は、既設配管のエルボ部分に本発明の漏水発見装置を取り付けた例である。図１は実施例１の漏水発見装置の側面図、図２は実施例１の漏水発見装置の平面図、図３は実施例１の漏水発見装置の内部の説明図、図４は実施例１の表示部材の説明図、図５は実施例１の漏水発見装置の使用状態を示す説明図である。
【００１１】
図中、１はカバー体、１ａは様々な配管径に応じてカットすることで密接できるようにする多段に形成された挿通部、１ｂは小孔、１ｃは接合片、１ｄはビス孔、１ｅは閉塞ボルト、１ｆは取付けビス、２は表示部材、２ａは液受け管、２ｂは反応剤、２ｃはカプセル、２ｄは吸収部材、２ｅは浸透部材、３は既設配管、４はエルボ、５，６は浸透部材、７は発泡樹脂、Ｗは液体である。
【００１２】
実施例１では、図１〜３に示すようにエルボ４の両端外周縁に薄いフェルトからなる浸透部材５をそれぞれ接着し、同各浸透部材５間のエルボ４外面両端間に渡ってフェルトからなる浸透部材６を接着し、多段に形成されたカバー体１の各挿通部１ａを既設配管３の外径に合う段部でカットし、既設配管３とエルボ４を含むその継目部外周を左右対称な一対のＬ型のカバー体１で既設配管３を挿通部１ａに合わせて被覆し、重合した各接合片１ｃ同士を取付けビス１ｆで螺着して密接する。
【００１３】
一方、透明なプラスチックからなる液受け管２ａ内に白色のファイバーロッドからなる吸収部材２ｄを挿入し、同吸収部材２ｄの上端にリトマス粉末からなる反応剤２ｂを封止した水溶性のカプセル２ｃを取り付け、同カプセル２ｃの上面に硬めのファイバーロッドからなる浸透部材２ｅを液受け管２ａの上端開口から突出するように取り付けて表示部材２を構成し、前記カバー体１に複数形成された小孔１ｂのうち下方に位置する小孔１ｂに表示部材２の浸透部材２ｅ上端を浸透部材６と当接させて装着する。
【００１４】
そして、カバー体１側面側の小孔１ｂからウレタン樹脂からなる発泡樹脂７を注入し、カバー体１内の空間を発泡樹脂７で充填した後閉塞ボルト１ｅで閉塞することで、発泡樹脂７が硬化後浸透部材５，６，２ｅで漏水した液体が流れる水路が形成される。
【００１５】
ここで、図５（ａ）に示すように経年劣化等の何らかの原因で既設配管３及びエルボ４内を流れる液体Ｗがその継目部から漏水すると、液体Ｗは継目部に接着された浸透部材５に染み渡って毛細管現象で浸透部材６，２ｅの繊維内部を流れ、カバー体１外に流れ出てカプセル２ｃに達する。
【００１６】
流れ出た液体Ｗはカプセル２ｃを溶解させて内部に封止されている反応剤２ｂと混合し、液体Ｗがその成分（ｐＨ）に応じた色を変色する。変色した液体Ｗは図５（ｂ）に示すように吸収部材２ｄに吸収され、全域に染み渡って広面積の着色部が形成される。点検者は点検時に表示部材２を目視し、液受け管２ａ内の吸収部材２ｄが着色している場合に漏水が発生していることを発見し、早急に補修等の対応が成されることとなる。
【００１７】
実施例２：図６に示す実施例２は、実施例１の表示部材２の吸収部材２ｄの代わりに漏水センサーを取り付けた例である。図６は実施例２の漏水発見装置の内部の説明図である。図中、８は漏水センサー、８ａは信号線、９は警報部、９ａは警報スピーカ、９ｂは警報ランプである。
【００１８】
実施例２では、図６に示すように液受け管２ａの吸収部材２ｄが位置する下半分位置に漏水センサー８を一体的に取り付けている。従って、漏水が発生すると、流れ出た液体Ｗが実施例１と同様にカプセル２ｃを溶解して反応剤２ｂと混合・変色し、その液体Ｗが漏水センサー８に触れることで信号が信号線８ａで遠方の警報部９に送信され、警報スピーカ９ａによる警報音や警報ランプ９ｂの点滅により警報が成される。その他、符号、構成は実施例１と同じである。
【００１９】
【発明の効果】
以上説明したように、本発明によれば点検者は表示手段の変色具合を目視することで液体が透明でも漏水が発生したか否かを容易に確認でき、しかも漏れが少量でも浸透部材で確実に表示手段に流れるから、漏水を早期に発見して補修等の対応が行える。
【図面の簡単な説明】
【図１】実施例１の漏水発見装置の側面図である。
【図２】実施例１の漏水発見装置の平面図である。
【図３】実施例１の漏水発見装置の内部の説明図である。
【図４】実施例１の表示部材の説明図である。
【図５】実施例１の漏水発見装置の使用状態を示す説明図である。
【図６】実施例２の漏水発見装置の内部の説明図である。
【符号の説明】
１  カバー体
１ａ  挿通部
１ｂ  小孔
１ｃ  接合片
１ｄ  ビス孔
１ｅ  閉塞ボルト
１ｆ  取付けビス
２  表示部材
２ａ  液受け管
２ｂ  反応剤
２ｃ  カプセル
２ｄ  吸収部材
２ｅ  浸透部材
３  既設配管
４  エルボ
５，６  浸透部材
７  発泡樹脂
Ｗ  液体
【図１】
2004183849.tif 000003
【図２】
2004183849.tif 000004
【図３】
2004183849.tif 000005
【図４】
2004183849.tif 000006
【図５】
2004183849.tif 000007
【図６】
2004183849.tif 000008